(57)【要約】【課題】より品質の高いＧＵＩ表示を行う。【解決手段】解像度１２８０×７６８の画像を表示するための表示部と、ＧＵＩ表示のためのグラフィック映像情報を、前記解像度１２８０×７６８を越えないように、且つ、解像度１９２０×１０８０の原映像情報の相違に応じて作成するとともに、当該グラフィック映像情報を前記原映像情報と合成する画像処理部とを備えてなり、前記表示部は、前記原映像情報から前記グラフィック映像情報を抜き取って、当該グラフィック映像情報に基づくＧＵＩを表示する。【選択図】      図２
2005057324.tif 000002
【特許請求の範囲】
【請求項１】
解像度ｕ×ｖの画像を表示するための表示部と、
第２画像のための第２映像情報を、前記解像度ｕ×ｖを越えないように、且つ、解像度ｐ×ｑ（但し、ｐ≠ｕ及びｑ≠ｖの少なくとも一方が成立する。）の第１画像を表示するための第１映像情報の相違に応じて作成するとともに、当該第２映像情報を前記第１映像情報と合成する画像処理部とを備えてなり、
前記表示部は、
前記第１映像情報から前記第２映像情報を抜き取って、当該第２映像情報に基づく前記第２画像を表示することを特徴とする画像表示装置。
【請求項２】
前記第２画像は、グラフィック画像を含むことを特徴とする請求項１に記載の画像表示装置。
【請求項３】
解像度ｕ×ｖの画像を表示するための表示部と、
解像度ｒ×ｓの原映像情報を、前記解像度ｕ×ｖ（但し、ｒ≠ｕ及びｓ≠ｖの少なくとも一方が成立する。）用の表示用映像情報に変換するスケーリング処理を行うスケーリング手段とを備えてなり、
前記スケーリング手段は、
前記原映像情報に対して、前記スケーリング処理を１回のみ実施することを特徴とする画像表示装置。
【請求項４】
前記原映像情報は、ＨＤ（Ｈｉｇｈ  Ｄｅｆｉｎｉｔｉｏｎ）規格に基づくデータ放送の映像情報を含むことを特徴とする請求項３に記載の画像表示装置。
【請求項５】
解像度ｕ×ｖの画像を表示するための表示部と、
解像度ｒ×ｓの原映像情報を、前記解像度ｕ×ｖ（但し、ｒ≠ｕ及びｓ≠ｖの少なくとも一方が成立する。）用の表示用映像情報に変換するスケーリング処理を行うスケーリング手段と、
前記解像度ｒ×ｓに調和したグラフィック画像を表示するためのグラフィック映像情報を作成するとともに、当該グラフィック映像情報を前記原映像情報と合成する画像処理部とを備えてなり、
前記スケーリング手段は、
前記スケーリング処理を含む、前記原映像情報のための画像処理を行う第１画像処理手段と、
前記原映像情報のための画像処理とは異なる前記グラフィック映像情報のための画像処理を行う第２画像処理手段と
を備えたことを特徴とする画像表示装置。
【請求項６】
前記グラフィック映像情報が前記原映像情報のどの位置に合成されるかを識別するためのキー信号を作成するキー信号作成部を更に備えてなり、
前記スケーリング手段は、
前記キー信号に応じて、第１画像処理手段を通過した映像情報及び第２画像処理手段を通過した映像情報のいずれか一方を画像表示に用いることを特徴とする請求項５に記載の画像表示装置。
【請求項７】
解像度ｕ×ｖの画像を表示するための表示部と、
解像度ｒ×ｓの原映像情報を、前記解像度ｕ×ｖ（但し、ｒ≠ｕ及びｓ≠ｖの少なくとも一方が成立する。）用の表示用映像情報に変換するスケーリング処理を行うスケーリング手段と、
前記解像度ｕ×ｖに調和したグラフィック画像を表示するためのグラフィック映像情報を作成するとともに、当該グラフィック映像情報を前記表示用映像情報と合成する画像処理部と
を備えたことを特徴とする画像表示装置。
【請求項８】
解像度ｕ×ｖの画像を表示するための表示部と、
解像度ｒ×ｓの原映像情報を、前記解像度ｕ×ｖ（但し、ｒ≠ｕ及びｓ≠ｖの少なくとも一方が成立する。）用の表示用映像情報に変換するスケーリング処理を行うスケーリング手段と、
前記解像度ｒ×ｓに調和したグラフィック画像を表示するためのグラフィック映像情報を作成する画像処理部と、
前記グラフィック映像情報に前記スケーリング処理の逆処理を作用させて逆処理済映像情報を作成する逆スケーリング手段とを備えてなり、
前記スケーリング手段は、
前記原映像情報及び前記逆処理済映像情報の双方に対して共に、前記スケーリング処理を行うことを特徴とする画像表示装置。
【発明の詳細な説明】
【０００１】
【発明の属する技術分野】
本発明は、例えばＰＤＰ（Ｐｌａｓｍａ  Ｄｉｓｐｌａｙ  Ｐａｎｅｌ）等の画像表示装置の技術分野に属し、特に、ＧＵＩ（Ｇｒａｐｈｉｃａｌ  Ｕｓｅｒ  Ｉｎｔｅｒｆａｃｅ）表示等のグラフィック画像表示を含む画像表示を行う画像表示装置の技術分野に属する。
【０００２】
【従来の技術】
従来、放送局から適当な映像信号を受信するとともに、該映像信号に基づいて画像を表示することの可能なＰＤＰ等の画像表示装置が知られている。また、この画像表示装置では、いわゆるスケーリング処理を実行するものが知られている。ここでスケーリング処理とは、具体的には、次のようなものをいう。
【０００３】
まず、一般に、放送局から送られてくる映像信号の解像度と、受信側である画像表示装置の解像度とが一致しない場合がある。例えば、ＳＤ（Ｓｔａｎｄａｒｄ  Ｄｅｆｉｎｉｔｉｏｎ）規格では解像度７２０×４８０（水平解像度×垂直解像度。以下同じ。）の映像信号となり、ＨＤ（Ｈｉｇｈ  Ｄｅｆｉｎｉｔｉｏｎ）規格では解像度１２８０×１０８０の映像信号となるが、受信側である画像表示装置が、例えば５０〔ｉｎｃｈ〕のＰＤＰであれば、解像度が１２８０×７６８のものが存在する。そうすると、放送局から送られてくる映像信号を、そのままではＰＤＰで表示することができない。そこで、このような場合において、元の映像信号に基づいた画像を当該画像表示装置でもって表示するために行われるのがスケーリング処理である。このスケーリング処理は、具体的には例えば、元の映像信号に適当なスケーリング関数を作用させることによって、当該映像信号の解像度を受信側の解像度に適合させる処理等として行われる。この場合、元の映像信号をどの程度正確に反映した映像信号を得ることができるかは、具体的なスケーリング関数の定め方如何による。
【０００４】
また、前記の画像表示装置では、いわゆるＧＵＩ表示が行われるものが知られている。ここでＧＵＩ表示とは、例えば、当日の番組表やビデオ録画するための番組予約テーブル、各種のメッセージ等の表示をいい、これに加えてデータ放送等における天気予報や交通情報等、各種の情報をユーザに伝達するために行われる文字及び簡単な図形等を含めて、広く「グラフィック画像表示」なる概念に包含されるものをいう。ユーザは、このＧＵＩ表示により、各種有用な情報を得ることができるとともに、場合により、当該ＧＵＩ表示を通じて、装置側に各種の命令・指令等を伝達することもできる。ちなみに、特許文献１では、このようなＧＵＩ表示の一例として、洋画の字幕スーパーを表示する技術が開示されている。
【０００５】
【特許文献１】
特開平６−７０２３４号公報
【０００６】
【発明が解決しようとする課題】
しかしながら、上述したような画像表示装置には次のような問題点がある。すなわち、前記のようなＧＵＩ表示を行う画像表示装置において、前記スケーリング処理を実施すると、以下のような不具合が生じる場合がある。例えば第１に、前述したように、ＨＤ規格に基づく映像信号（解像度１９２０×１０８０）をＰＤＰ（解像度１２８０×７６０）にスケーリングする場合を考えると、当該映像信号にＧＵＩ表示を含ませようとした場合、当該ＧＵＩ表示もスケーリング処理を受けることになる。しかしながら、この場合、当該スケーリング処理が実質的な縮小処理になることに応じて、ＧＵＩ表示も縮小処理されることになる。しかし、そうすると、ＧＵＩ表示が主に文字及び簡単な図形等からなるグラフィック画像表示であるため、フォントが潰れてしまって見栄えが悪くなり、悪い場合にはその判読が困難になるということが生じる場合があったのである。
【０００７】
また、第２に、ＳＤ規格に基づく映像信号をＰＤＰにスケーリング処理する場合を考えると、当該映像信号にＧＵＩ表示を含ませようとした場合、やはり当該ＧＵＩ表示もスケーリング処理を受けることになるが、かかる場合においては前記とは逆に、当該スケーリング処理は実質的な拡大処理になること応じて、ＧＵＩ表示も拡大処理されることになる。すると、この場合においては、ＧＵＩ表示を構成する文字及び簡単な図形等のフォントの粗が見えやすくなって見栄えが悪くなり、悪い場合にはその判読が困難になるということが生じる場合があったのである。
【０００８】
さらに、第３に、ＨＤ規格に基づくデータ放送（当該放送はそもそもグラフィック画像表示を含む。）においては、解像度９６０×５４０のグラフィック画像表示における各画素を水平方向及び垂直方向にそれぞれ２回繰り返して表示（いわゆる２度振り）することにより、解像度１９２０×１０８０の映像信号を得る。これをＰＤＰにスケーリング処理する場合を考えると、当該規格が一種特殊なため、いったん拡大処理（前記の２度振り）された後縮小処理する、などというスケーリング処理が行われることがある。そうすると、当該グラフィック画像表示もまた、いったん拡大処理された後縮小処理することになり、この場合は、当該グラフィック画像表示の画質を著しく劣化させるおそれが大きかったのである。
【０００９】
本発明は、例えば上記問題点に鑑みてなされたものであり、例えば、より品質の高いＧＵＩ表示等のグラフィック画像表示を行うことの可能な画像表示装置を提供することを課題とする。
【００１０】
【課題を解決するための手段】
上記課題を解決するために、請求項１に記載の画像表示装置は、解像度ｕ×ｖの画像を表示するための表示部と、第２画像のための第２映像情報を、前記解像度ｕ×ｖを越えないように、且つ、解像度ｐ×ｑ（但し、ｐ≠ｕ及びｑ≠ｖの少なくとも一方が成立する。）の第１画像を表示するための第１映像情報の相違に応じて作成するとともに、当該第２映像情報を前記第１映像情報と合成する画像処理部とを備えてなり、前記表示部は、前記第１映像情報から前記第２映像情報を抜き取って、当該第２映像情報に基づく前記第２画像を表示する。
【００１１】
上記課題を解決するために、請求項３に記載の画像表示装置は、解像度ｕ×ｖの画像を表示するための表示部と、解像度ｒ×ｓの原映像情報を、前記解像度ｕ×ｖ（但し、ｒ≠ｕ及びｓ≠ｖの少なくとも一方が成立する。）用の表示用映像情報に変換するスケーリング処理を行うスケーリング手段とを備えてなり、前記スケーリング手段は、前記原映像情報に対して、前記スケーリング処理を１回のみ実施する。
【００１２】
上記課題を解決するために、請求項５に記載の画像表示装置は、解像度ｕ×ｖの画像を表示するための表示部と、解像度ｒ×ｓの原映像情報を、前記解像度ｕ×ｖ（但し、ｒ≠ｕ及びｓ≠ｖの少なくとも一方が成立する。）用の表示用映像情報に変換するスケーリング処理を行うスケーリング手段と、前記解像度ｒ×ｓに調和したグラフィック画像を表示するためのグラフィック映像情報を作成するとともに、当該グラフィック映像情報を前記原映像情報と合成する画像処理部とを備えてなり、前記スケーリング処理を含む、前記原映像情報のための画像処理を行う第１画像処理手段と、前記原映像情報のための画像処理とは異なる前記グラフィック映像情報のための画像処理を行う第２画像処理手段とを備えている。
【００１３】
上記課題を解決するために、請求項７に記載の画像表示装置は、解像度ｕ×ｖの画像を表示するための表示部と、解像度ｒ×ｓの原映像情報を、前記解像度ｕ×ｖ（但し、ｒ≠ｕ及びｓ≠ｖの少なくとも一方が成立する。）用の表示用映像情報に変換するスケーリング処理を行うスケーリング手段と、前記解像度ｕ×ｖに調和したグラフィック画像を表示するためのグラフィック映像情報を作成するとともに、当該グラフィック映像情報を前記表示用映像情報と合成する画像処理部とを備えている。
【００１４】
上記課題を解決するために、請求項８に記載の画像表示装置は、解像度ｕ×ｖの画像を表示するための表示部と、解像度ｒ×ｓの原映像情報を、前記解像度ｕ×ｖ（但し、ｒ≠ｕ及びｓ≠ｖの少なくとも一方が成立する。）用の表示用映像情報に変換するスケーリング処理を行うスケーリング手段と、前記解像度ｒ×ｓに調和したグラフィック画像を表示するためのグラフィック映像情報を作成する画像処理部と、前記グラフィック映像情報に前記スケーリング処理の逆処理を作用させて逆処理済映像情報を作成する逆スケーリング手段とを備えてなり、前記スケーリング手段は、前記原映像情報及び前記逆処理済映像情報の双方に対して共に、前記スケーリング処理を行う。
【００１５】
本発明のこのような作用及び他の利得は次に説明する実施の形態から明らかにされる。
【００１６】
【発明の実施の形態】
以下では、本発明の実施の形態について図を参照しつつ説明する。以下の実施形態は、本発明の画像表示装置を液晶装置に適用したものである。
【００１７】
本発明の画像表示装置の第１実施形態は、上記課題を解決するため、解像度ｕ×ｖの画像を表示するための表示部と、第２画像のための第２映像情報を、前記解像度ｕ×ｖを越えないように、且つ、解像度ｐ×ｑ（但し、ｐ≠ｕ及びｑ≠ｖの少なくとも一方が成立する。）の第１画像を表示するための第１映像情報の相違に応じて作成するとともに、当該第２映像情報を前記第１映像情報と合成する画像処理部とを備えてなり、前記表示部は、前記第１映像情報から前記第２映像情報を抜き取って、当該第２映像情報に基づく前記第２画像を表示する。
【００１８】
本発明の画像表示装置の第１実施形態において、まず、「解像度ａ×ｂ」なる表記は、水平の画素数がａで、垂直の画素数がｂである、という意味を有する。以下も同様である。
【００１９】
そして、この第１実施形態では特に、画像処理部が、第２映像情報を、表示部の解像度であるｕ×ｖを越えないように、且つ、解像度ｐ×ｑの第１画像を表示するための第１映像情報の相違に応じて作成する。ここで第２画像とは、主に、文字及び簡単な図形等からなるＧＵＩ等のグラフィックであり、第１画像とは、主に、通常のテレビ画像である、と想定するとわかりやすい。これによると、ＧＵＩ等のグラフィックが、前記解像度ｕ×ｖを越えないように、且つ、放送によって送られてきたテレビ画像の解像度の相違に応じて作成されるということになる。
【００２０】
したがって、第１実施形態によれば、ＧＵＩ等のグラフィックに係る映像情報を、表示部及び第１映像情報の双方の解像度に適した形で、予め適当且つ適切に作成しておくことができるから、これを表示するとしても、当該グラフィックを構成するフォントを潰したり、あるいはその粗を目立たせたりといった不具合を発生させずに済む。よって、第１実施形態では、より品質の高いＧＵＩ表示等のグラフィック画像表示を行うことができる。
【００２１】
なお、「第１映像情報の相違に応じて」とは、具体的には例えば、解像度ｐ×ｑの具体的な値及び該解像度ｐ×ｑと解像度ｕ×ｖとの関係如何などによって定まる。例えば、「ｐ＝ｕ且つｑ＞ｖである場合には、解像度ｕ（＝ｐ）×ｖに一致するように」第２映像情報を作成するとか、「ｐ＝ｕ且つｑ＜ｖである場合には、解像度ｕ（＝ｐ）×ｑに一致するように」第２映像情報を作成する、などいうことを意味する。
【００２２】
また、第１実施形態にいう「合成」には、「重ね合わせる」ということも含意される。
【００２３】
本発明の画像表示装置の第１実施形態の一態様では、前記第２画像は、グラフィック画像を含む。
【００２４】
この態様によれば、例えば、当日の番組表やビデオ録画するための番組予約テーブル、あるいはデータ放送であれば天気予報や交通情報等、各種の情報をユーザに伝達するために行われる文字及び簡単な図形等からなるグラフィック画像表示に包含されるところのＧＵＩ表示等を、品質高く行うことができる。
【００２５】
本発明の画像表示装置の第１実施形態の他の態様では、前記ＧＵＩは、全画面ＧＵＩを含む。
【００２６】
この態様において、まず、「全画面ＧＵＩ」とは、表示部の画像表示領域を殆どすべて利用して表示されるＧＵＩを意味し、典型的には例えば、前記の番組表等が該当する。そして、本態様によれば、前述した第１実施形態の作用効果をより適切に享受することができる。これは以下の事情による。
【００２７】
すなわち、第１実施形態の構成が、第１映像情報から、第２画像の基礎となる第２映像情報を「抜き取って」当該第２画像を表示する、というものであるため、全画面ＧＵＩでないＧＵＩの場合には、第１映像情報はその多くが捨てられるということになる。すると、本来であれば、ユーザに提示されるべきであった第１画像の多くが表示されないことになってしまう。
【００２８】
しかるに、本態様では、ＧＵＩが全画面ＧＵＩであるから、第１実施形態に言う第２画像（ひいては第２映像情報）も、そういうもの（即ち、表示部の画像表示領域を殆どすべて利用して表示されるもの）であるということであり、仮に前記の抜き取りを実施しなかったとしても、そもそも第１映像情報に基づく第１画像はユーザに提示されることはなかった（即ち、当該全画面ＧＵＩが第１画像上の殆どの部分にオーバーレイされていた）ということになる。そうすると、この場合、もともと第１画像の殆どはユーザに提示される可能性がなかったのであるから、逆に、第２映像情報の抜き取りを実施したとしても、ユーザに不利益を課すということにはならない。
【００２９】
要するに、本態様によれば、第１映像情報でユーザに伝えられるべき情報を然程犠牲にすることなく、しかもＧＵＩの表示を品質高く行うことができるという意味において、第１実施形態の作用効果を「より適切」に享受することが可能ということができるのである。
【００３０】
本発明の画像表示装置の第１実施形態の他の態様では、前記解像度ｐ×ｑは解像度１２８０×１０８０を含み、前記解像度ｕ×ｖは解像度１２８０×７６８を含むとともに、前記第２映像情報は、前記解像度１２８０×７６８をもつものとして作成される。
【００３１】
この態様によれば、例えば、第１映像情報が、いわゆるＨＤ（Ｈｉｇｈ  Ｄｅｆｉｎｉｔｉｏｎ）規格に基づく場合に、好適に第２画像の表示を行うことができる。ちなみに、この場合、第２画像がＧＵＩを含むのであれば、当該ＧＵＩは、前記全画面ＧＵＩを含むといい得る。
【００３２】
本発明の画像表示装置の第１実施形態の他の態様では、前記解像度ｐ×ｑは解像度１２８０×７２０を含み、前記解像度ｕ×ｖは解像度１２８０×７６８を含むとともに、前記第２映像情報は、前記解像度１２８０×７２０をもつものとして作成される。
【００３３】
この態様によれば、例えば、第１映像情報が、いわゆるＳＤ（Ｓｔａｎｄａｒｄ  Ｄｅｆｉｎｉｔｉｏｎ）規格に基づく場合に、好適に第２画像の表示を行うことができる。ちなみに、この場合、第２画像がＧＵＩを含むのであれば、当該ＧＵＩは、前記全画面ＧＵＩを含むといい得る。
【００３４】
なお、本態様の場合、第２映像情報に基づく第２画像の垂直解像度が７２０であるのに、表示部の垂直解像度が７６８であるから、両者間に４８ライン分の不一致が生じしている。したがって、本態様に即して画像表示（即ち、第２画像に係る画像表示）を実際に行う場合には、当該第２画像を挟む上下２４ライン分ずつ黒帯表示を行うようにしておくとよい。
【００３５】
本発明の画像表示装置の第２実施形態は、上記課題を解決するため、解像度ｕ×ｖの画像を表示するための表示部と、解像度ｒ×ｓの原映像情報を、前記解像度ｕ×ｖ（但し、ｒ≠ｕ及びｓ≠ｖの少なくとも一方が成立する。）用の表示用映像情報に変換するスケーリング処理を行うスケーリング手段とを備えてなり、前記解像度ｒ×ｓは解像度９６０×５４０を含み、且つ、前記解像度ｕ×ｖは解像度１２８０×７６８を含み、前記スケーリング手段は、前記原映像情報に対して、前記スケーリング処理を１回のみ実施する。
【００３６】
本発明の画像表示装置の第２実施形態によれば、まず、前記スケーリング手段を備えていることにより、基本的に、受け取った原映像情報の解像度がどのようであろうとも、スケーリング処理を実施することにより、表示部の解像度に合致した画像の表示を行うことができる。例えば、ｒ＞ｕ且つｓ＞ｖであれば、実質的に縮小処理となるスケーリング処理を行えば、表示部の解像度に合致させることができる。他方、ｒ＜ｕ且つｓ＜ｖであれば、実質的に拡大処理となるスケーリング処理を行えば、表示部の解像度に合致させることができる。なお、「スケーリング処理」とは、種々の具体的形態を想定することができるが、例えば簡単には、原映像情報のうち幾つかの情報を適当に間引いたり、足し込んだり、あるいは適当な補間処理を実施したりする形態が考えられる。
【００３７】
そして、第２実施形態では特に、例えば、原映像情報の解像度が９６０×５４０を含み、表示部の解像度が１２８０×７６８を含んでいる場合、解像度９６０×５４０の原映像情報を、解像度１２８０×７６８の表示用映像情報にスケーリング処理する必要があることになる。
【００３８】
ところで、ＨＤ規格に基づく映像情報は、解像度１９２０×１０８０であることに鑑みるに、本態様で想定される解像度９６０×５４０の原映像情報は、そのＨＤ規格に関する水平及び垂直の画素数をそれぞれ２分の１にしたものであることがわかる。したがって、当該画像表示装置における前記スケーリング手段において、ＨＤ規格に基づく原映像情報のスケーリング処理（以下、説明の便宜上、「ＨＤ用スケーリング処理」ということがある。）が行えるようになっているならば、前記解像度９６０×５４０の原映像情報を、いわゆる２度振りして解像度１９２０×１０８０の映像情報を得た後、これに予め用意されている前記のＨＤ用スケーリング処理を実施すると効率的であるし、スケーリング手段における回路構成等を複雑化せずに済む。
【００３９】
しかしながら、前記のような２度振りを実施してしまうと、発明が解決しようとする課題の項で述べたように、ＧＵＩ等のグラフィックのフォントを潰してしまったり、あるいはその粗を目立たせる等その画質を劣化させてしまうことになる。
【００４０】
しかるに、本態様によれば、前記スケーリング手段は、前記の解像度９６０×５４０の原映像情報に対して、スケーリング処理を１回のみ実施する。これによると、前記の２度振りが省略される分、画質が劣化することを回避することができるから、前記の第１実施形態と同様に、ＧＵＩ等のグラフィックを構成するフォントを潰したり、あるいはその粗を目立たせたりといった不具合を発生させずに済む。よって、第２実施形態によれば、より品質の高いＧＵＩ表示等のグラフィック画像表示を行うことができる。
【００４１】
本発明の画像表示装置の第２実施形態の一態様では、前記原映像情報は、ＨＤ（Ｈｉｇｈ  Ｄｅｆｉｎｉｔｉｏｎ）規格に基づくデータ放送の映像情報を含む。
【００４２】
この態様によれば、一般的にＨＤ規格に基づくデータ放送が、前記の解像度９６０×５４０の原映像情報として送信されることが知られているから、当該データ放送の表示を構成するフォントを潰したり、あるいはその粗を目立たせたりといった不具合を被らなくて済むことになる。つまり、第２実施形態は、データ放送を受信する場合に適用されて、最も好適な一態様を提供する。
【００４３】
本発明の画像表示装置の第２実施形態の他の態様では、前記スケーリング手段は、前記解像度ｒ×ｓが解像度１９２０×１０８０である前記原映像情報のスケーリング処理を行えるように構成されていてもよい。
【００４４】
この態様によれば、当該スケーリング手段は、ＨＤ規格に基づく原映像情報をスケーリング処理する能力をもっている。したがって、素直に考えると、解像度９６０×５４０の原映像情報については、前述したように、これを２度振りした後、当該ＨＤ用スケーリング処理を受けさせるようにした方が効率的ということがいえる。しかしながら、これでは、既に述べたように画質の劣化を招く。
【００４５】
そこで、本態様の構成のように、スケーリング手段が、ＨＤ規格に基づく原映像情報をスケーリング処理する能力を有しているとしても、解像度９６０×５４０の原映像情報を受け取ったときには、前記能力をそのまま用いるのではなく、あくまでも第２実施形態の特徴である１回のみのスケーリング処理を行える構成を併せ持っている方が好ましいということができる。
【００４６】
このように、本態様によれば、一見非効率にはみえるものの、前記データ放送等の解像度９６０×５４０の画像を品質高く表示することができるという意味で、優れた効果を発揮することになる。また、本態様によれば、解像度９６０×５４０の原映像情報に加えて、ＨＤ規格に基づく原映像情報に基づく画像もまた、好適に表示することができることになる。
【００４７】
本発明の画像表示装置の第３実施形態は、上記課題を解決するため、解像度ｕ×ｖの画像を表示するための表示部と、解像度ｒ×ｓの原映像情報を、前記解像度ｕ×ｖ（但し、ｒ≠ｕ及びｓ≠ｖの少なくとも一方が成立する。）用の表示用映像情報に変換するスケーリング処理を行うスケーリング手段と、前記解像度ｒ×ｓに調和したグラフィック画像を表示するためのグラフィック映像情報を作成するとともに、当該グラフィック映像情報を前記原映像情報と合成する画像処理部とを備えてなり、前記スケーリング手段は、前記スケーリング処理を含む、前記原映像情報のための画像処理を行う第１画像処理手段と、前記原映像情報のための画像処理とは異なる前記グラフィック映像情報のための画像処理を行う第２画像処理手段とを備えている。
【００４８】
本発明の画像表示装置の第３実施形態によれば、まず、前記スケーリング手段を備えていることにより、基本的に、受け取った原映像情報の解像度がどのようであろうとも、スケーリング処理を実施することにより、表示部の解像度に合致した画像の表示を行うことができる。
【００４９】
そして、第３実施形態では特に、画像処理部が、解像度ｒ×ｓに調和したグラフィック画像を表示するためのグラフィック映像情報を作成するとともに、当該グラフィック映像情報を前記原映像情報と合成する。ここで一般に、解像度ａ×ｂに「調和した」画像とは、当該画像を構成するための映像情報が、解像度ａ×ｂの座標に基づいて作成されているという意味を含む。以下において、同じ用語が使われている場合も同様である。したがって、前記の場合、グラフィック映像情報に基づくグラフィック画像を、そのままの形で表示部上で表示することが困難となり（なぜなら、ｒ≠ｕ及びｓ≠ｖの少なくとも一方が成立するから）、何らかのスケーリング処理が必要ということになる。
【００５０】
ここで、第３実施形態では更に、原映像情報のための画像処理を行う第１画像処理手段と、グラフィック映像情報のための画像処理を行う第２画像処理手段とが備えられており、しかも前者と後者とでは異なる画像処理が行われるようになっているのである。
【００５１】
ここで「異なる画像処理」とは、例えば、原映像情報については、「不完全」なインターレース−プログレッシブ変換（以下、「ｉｐ変換」という。）を行った後にスケーリング処理を実施するが、ＧＵＩについては、「完全」なｉｐ変換を行った後にスケーリング処理を実施するという処理を考えることができる。ここで「ｉｐ変換」とは、原映像情報がインターレース走査であるものを、表示用映像情報とするためにプログレッシブ走査であるものに変換することを意味する。また、「不完全」及び「完全」とは、一方が他方に対して完全あるいは不完全、という相対的な意味を有するにとどまり、「不完全」であるからといって、ｉｐ変換後の画像の品質が殊更劣化するとか、「完全」であるからといって、ｉｐ変換において一寸の変換エラーもない、などということは意味しない（なお、その他の完全及び不完全の例については、実施例の項における該当する箇所の記載参照。）。
【００５２】
このような例によると、グラフィック映像情報の方が、原映像情報に比べて、ｉｐ変換後、原データがそのまま保存される可能性が高く、より高精細な画像を表示することができることになる。そして、この場合、ｉｐ変換後の情報に同じスケーリング処理を実施するとしても、当該グラフィック画像はその緻密さ、高精細さを維持することになる。
【００５３】
このように、第３実施形態によれば、ＧＵＩ等のグラフィックを構成するフォントを潰したり、あるいはその粗を目立たせたりといった不具合を発生させずに済み、より品質の高いＧＵＩ表示等のグラフィック画像表示を行うことができるのである。
【００５４】
本発明の画像表示装置の第３実施形態の一態様では、前記グラフィック映像情報が前記原映像情報のどの位置に合成されるかを識別するためのキー信号を作成するキー信号作成部を更に備えてなり、前記スケーリング手段は、前記キー信号に応じて、第１画像処理手段を通過した映像情報及び第２画像処理手段を通過した映像情報のいずれか一方を画像表示に用いる。
【００５５】
この態様によれば、キー信号の存在により、原映像情報及びグラフィック映像情報の相違に応じた前記第１画像処理手段及び第２画像処理手段の使い分けを好適に行うことができる。なお、キー信号の使い方としては、前記の構成による他、「前記キー信号に応じて、前記第１画像処理手段及び前記第２画像処理手段をそれぞれ作動させる」という構成を採用してもよい。前記の構成では、第１及び第２画像処理手段のどちらを通過した映像情報を実際の画像表示に用いるかを決定するにあたって、キー信号を利用する形になっているが、この場合では、第１及び第２画像処理手段の動作自体を、キー信号でもって制御するようになっている。
【００５６】
本発明の画像表示装置の第４実施形態は、上記課題を解決するため、解像度ｕ×ｖの画像を表示するための表示部と、解像度ｒ×ｓの原映像情報を、前記解像度ｕ×ｖ（但し、ｒ≠ｕ及びｓ≠ｖの少なくとも一方が成立する。）用の表示用映像情報に変換するスケーリング処理を行うスケーリング手段と、前記解像度ｕ×ｖに調和したグラフィック画像を表示するためのグラフィック映像情報を作成するとともに、当該グラフィック映像情報を前記表示用映像情報と合成する画像処理部とを備えている。
【００５７】
本発明の画像表示装置の第４実施形態によれば、まず、前記スケーリング手段を備えていることにより、基本的に、受け取った原映像情報の解像度がどのようであろうとも、スケーリング処理を実施することにより、表示部の解像度に合致した画像の表示を行うことができる。
【００５８】
そして、第４実施形態では特に、画像処理部が、解像度ｕ×ｖに調和したグラフィック画像を表示するためのグラフィック映像情報を作成するとともに、当該グラフィック映像情報を前記表示用映像情報と合成する。ここで「調和した」とは、前記のとおりの意義を有する。
【００５９】
したがって、この場合には、前記の第３実施形態とは異なり、グラフィック映像情報が、当初より、表示部の解像度ｕ×ｖに合致した形で作成され、且つ、それが表示用映像情報と合成されることにより、該グラフィック映像情報に基づくグラフィック画像を表示部上でそのまま表示することが可能である。そして、前記のように、当初より、解像度ｕ×ｖに調和する形でグラフィック映像情報を作成しておくことによれば、それを構成するフォント等を潰したり、あるいはその粗を目立たせたりすることなく、当該グラフィック映像情報を適当且つ適切に作成することができることを意味する。また、この場合、当該グラフィック映像情報はスケーリング処理を受ける必要がないことになる。よって、第４実施形態によれば、より品質の高いＧＵＩ表示等のグラフィック画像表示を行うことができる。
【００６０】
本発明の画像表示装置の第５実施形態は、上記課題を解決するため、解像度ｕ×ｖの画像を表示するための表示部と、解像度ｒ×ｓの原映像情報を、前記解像度ｕ×ｖ（但し、ｒ≠ｕ及びｓ≠ｖの少なくとも一方が成立する。）用の表示用映像情報に変換するスケーリング処理を行うスケーリング手段と、前記解像度ｒ×ｓに調和したグラフィック画像を表示するためのグラフィック映像情報を作成する画像処理部と、前記グラフィック映像情報に前記スケーリング処理の逆処理を作用させて逆処理済映像情報を作成する逆スケーリング手段とを備えてなり、前記スケーリング手段は、前記原映像情報及び前記逆処理済映像情報の双方に対して共に、前記スケーリング処理を行う。
【００６１】
本発明の画像表示装置の第５実施形態によれば、まず、前記スケーリング手段を備えていることにより、基本的に、受け取った原映像情報の解像度がどのようであろうとも、スケーリング処理を実施することにより、表示部の解像度に合致した画像の表示を行うことができる。
【００６２】
そして、第５実施形態では特に、画像処理部が、解像度ｒ×ｓに調和したグラフィック画像を表示するためのグラフィック映像情報を作成するとともに、当該グラフィック映像情報を前記原映像情報と合成する。ここで「調和した」とは、前記のとおりの意義を有する。
【００６３】
ここで、第５実施形態では更に、グラフィック映像情報に前記スケーリング処理の逆処理を作用させる逆スケーリング手段が備えられている。ここに「逆処理」とは、例えば、前記のスケーリング処理が、ある特定のスケーリング関数“ｆ”の作用として表現できるとするならば、概念的には、“ｆ−１”の作用として表現されるものと考えることができる。より具体的且つ直感的には、例えば、スケーリング処理が縮小処理に該当するなら、その逆処理は拡大処理、スケーリング処理が拡大処理に該当するなら、その逆処理は縮小処理というイメージである。
【００６４】
そして、第５実施形態では加えて、このような逆処理を受けたグラフィック映像情報である逆処理済映像情報と、原映像情報との双方にスケーリング処理を行うのである。したがって、この際、グラフィック映像情報は、いわば「元の姿」に戻るということになる。
【００６５】
このように、第５実施形態では、グラフィック映像情報に、いったんスケーリング処理の逆処理を受けさせた後、改めスケーリング処理を受けさせるようになっていることから、当該スケーリング処理を受けた後では、当初に作成したグラフィック映像情報が得られ、且つ、該グラフィック映像情報に基づくグラフィック画像が得られるということになる。言い換えると、スケーリング処理によってフォント等が潰れる、あるいはその粗が目立つなどという効果は、予め逆処理を挿入しておくことによって、いわば相殺されるような形となり、当該効果を発生させないようにすることが実現できるのである。よって、第５実施形態によれば、より品質の高いＧＵＩ表示等のグラフィック画像表示を行うことができることになるのである。
【００６６】
本発明の実施形態の第１乃至第５実施形態の他の態様では、前記表示部は、ＰＤＰ（Ｐｌａｓｍａ  Ｄｉｓｐｌａｙ  Ｐａｎｅｌ）を含む。この態様によれば、表示部がＰＤＰを含むことにより、高品質な画像表示が可能である。
【００６７】
以上、本発明の画像表示装置の第１実施形態は、表示部と画像処理部とを備えてなり、前記表示部は、第１映像情報から第２映像情報を抜き取って、当該第２映像情報に基づく前記第２画像を表示するようになっていることから、ＧＵＩ等のグラフィックに係る映像情報を、表示部及び第１映像情報の双方の解像度に適した形で、予め適当且つ適切に作成しておくことが可能である。よって、第１実施形態によれば、より品質の高いＧＵＩ表示等のグラフィック画像表示を表示することができる。
【００６８】
また、本発明の画像表示装置の第２実施形態は、表示部とスケーリング手段とを備えてなり、前記スケーリング手段は、前記原映像情報に対して、前記スケーリング処理を１回のみ実施するようになっていることから、前述した「２度振り」などを実施しなくともよい。よって、第２実施形態によれば、より品質の高いＧＵＩ表示等のグラフィック画像表示を表示することができる。
【００６９】
また、本発明の画像表示装置の第３実施形態は、表示部、スケーリング手段及び画像処理部とを備えてなり、前記スケーリング手段は更に、第１画像処理手段及び第２画像処理手段とを備えていることから、後二者の画像処理手段により、例えば、グラフィック映像情報の方が、原映像情報に比べて、高精細さを維持するような画像変換を行うことが可能である。よって、第３実施形態によれば、より品質の高いＧＵＩ表示等のグラフィック画像表示を表示することができる。
【００７０】
また、本発明の画像表示装置の第４実施形態は、表示部、スケーリング手段及び画像処理部とを備えてなるから、当初より、表示部の解像度ｕ×ｖに調和する形でグラフィック映像情報を作成しておくことが可能である。よって、第４実施形態によれば、より品質の高いＧＵＩ表示等のグラフィック画像表示を表示することができる。
【００７１】
また、本発明の画像表示装置の第５実施形態は、表示部、スケーリング手段、画像処理部及び逆スケーリング手段とを備えてなり、グラフィック映像情報に、いったんスケーリング処理の逆処理を受けさせた後、改めスケーリング処理を受けさせることが可能である。よって、第５実施形態によれば、より品質の高いＧＵＩ表示等のグラフィック画像表示を表示することができる。
【００７２】
【実施例】
以下では、本発明の表示部に係る実施例について図を参照しつつ説明する。
【００７３】
（第１実施例  ―  全画面ＧＵＩを含む場合）
まず、第１実施例に係る画像表示装置１の構成について、図１を参照して説明する。ここに図１は、第１実施例の画像表示装置の構成例を示すブロック図である。
【００７４】
図１において、画像表示装置１は、テレビ放送受信機等の画像出力装置１１及びＰＤＰ等の表示装置１２からなる。このうち画像出力装置１１は、デコーダ１１１、画像処理部１１２及びコントローラ１１３を含む。デコーダ１１１は、例えば受信したＭＰＥＧ（Ｍｏｖｉｎｇ  Ｐｉｃｔｕｒｅ  Ｅｘｐｅｒｔ  Ｇｒｏｕｐ）映像ストリームをデコードする。画像処理部１１２は、デコーダ１１１によってデコードされた映像信号について適当な画像処理を実施する。コントローラ１１３は、前記のデコーダ１１１及び画像処理部１１２を調和的に作動させるための制御部である。第１実施例においては特に、コントローラ１１３は、外部より受け取った映像信号に全画面ＧＵＩを含ませて表示するかどうか、あるいは当該映像信号が如何なる規格に基づくものか等を判断し（例えば、図２のステップＳ１０１、図２のステップＳ１０２参照）、その判断に基づいて、ＧＵＩの適切な表示を実現するための処理を画像処理部１１２に指示するようになっている。画像処理部１１２は、これを受けて、例えば全画面ＧＵＩを作成したりする（図２のステップＳ１０５参照）。
【００７５】
他方、表示装置１２は、例えばＰＤＰ（Ｐｌａｓｍａ  Ｄｉｓｐｌａｙ  Ｐａｎｅｌ）であり、図１に示すようにメモリ１２１及びスケーラ１２２を含む。第１実施例に係る表示装置１２では、その解像度が１２８０×７６８とされている。メモリ１２１は、公知の随時読み書き可能な記憶素子からなり、画像出力装置１１から受け取った映像信号を一時的に蓄えるために用いられる。スケーラ１２２は、画像出力装置１１から受け取った映像信号が、当該表示装置１２における前記の解像度１２８０×７６８に合致しない場合などにおいて、当該映像信号の解像度を、表示装置１２の解像度に合致させるような処理（スケーリング処理）を実施する。
【００７６】
かかる構成となる画像表示装置１によれば、図２以下に示すような運用がなされ、その結果、以下に記すような作用効果が得られる。ここに図２は、図１に示す画像表示装置によるＧＵＩの表示処理の流れを示すフローチャートである。また、図３乃至図５及び図７及び図８は、いずれも図２の表示処理中の一処理を概念的に示す説明図であり、それぞれ、図３及び図４は、全画面ＧＵＩ表示を行う場合、図５はデータ放送の場合、図７及び図８は、部分的にＧＵＩ表示を行う場合の処理を概念的に示す説明図である。なお、図６、図９及び図１０は、それぞれ、図５、図７及び図８に対する比較例である。
【００７７】
まず、画像出力装置１１は、全画面ＧＵＩを表示する場合であるかどうかを判断する（図２のステップＳ１０１）。ここで全画面ＧＵＩを表示する場合であると判断されるときには、その画像処理部１１２が、全画面用ＧＵＩを作成する（図２のステップＳ１０５）。全画面用ＧＵＩの作成とは、表示装置１２の解像度である１２８０×７６８を越えないように、且つ、元来の映像信号（画像出力装置１１が当初に受け取る映像信号。以下、「原始的映像信号」という。）の相違に応じたＧＵＩの作成を意味する（後述の図３及び図４並びにそれらの説明参照）。そして、画像出力装置１１は、原始的映像信号に、前記で作成した全画面用ＧＵＩを重ね合わせた映像信号（以下、「重ね合わせ映像信号」という。）を、表示装置１２に出力する（図２のステップＳ１０８）。これを受けた表示装置１２は、当該重ね合わせ映像信号からＧＵＩに該当する部分だけを抜き出す作業を実施し、これをいったんメモリ１２１に記録する。そして、該メモリ１２１に蓄えられた当該ＧＵＩを読み出して表示を行う（図２のステップＳ１１０）
より具体的には、この場合、前記原始的映像信号の解像度が１９２０×１０８０である場合（即ち、ＨＤ規格の「１０８０ｉ（ｉｎｔｅｒｌａｃｅ）」の映像信号である場合）、あるいは該解像度が１２８０×７２０である場合（即ち、ＨＤ規格の「７２０ｐ（ｐｒｏｇｒｅｓｓｉｖｅ）」の映像信号である場合）が考えられる。図３及び図４では、それぞれ、原始的映像信号の解像度が１９２０×１０８０の場合及び１２８０×７２０の場合における全画面用ＧＵＩの作成及び重ね合わせ映像信号に基づく画像表示の様子が示されている。
【００７８】
まず、図３において、画像出力装置１１は、原始的映像信号の解像度が１９２０×１０８０である場合には、解像度が１２８０×７６８の全画面用ＧＵＩを作成した後、これを該原始的映像信号に重ね合わせ、当該重ね合わせ映像信号を表示装置１２に送信する。そして、表示装置１２では、この重ね合わせ映像信号から、前記で全画面用に作成されたＧＵＩに該当する部分（即ち、解像度１２８０×７６８の画像）だけ抜き出す作業を実施し、これをいったんメモリ１２１に記憶する。そして、該メモリ１２１に蓄えられたデータを読み出すことにより、表示装置１２では、図３右方に示すように、画面全体がＧＵＩになる画像が表示されることになる。
【００７９】
他方、図４において、画像出力装置１１は、原始的映像信号の解像度が１２８０×７２０である場合には、解像度が１２８０×７２０の全画面用ＧＵＩを作成した後、これを該原始的映像信号に重ね合わせ、当該重ね合わせ映像信号を表示装置１２に送信する。そして、表示装置１２では、この全画面用ＧＵＩをそのまま表示することになる。この場合、原始的映像信号の垂直解像度が７２０であるため、表示装置１２上の垂直解像度７６８には満たないことになる。したがって、表示装置１２における画面では、図４右方に示すように、当該全画面用ＧＵＩの上下に何らの情報も含まない帯（即ち、黒い帯）が表示されるようになっている。
【００８０】
さて一方、前記のステップＳ１０１において、全画面ＧＵＩを表示しない場合であると判断されるときには、続いて、画像出力装置１１が受け取った原始的映像信号が、ＨＤ規格に基づくデータ放送のもの（即ち、解像度９６０×５４０の映像信号であって、当該データ放送そのものがグラフィック画像表示からなるもの。）であるかどうかが判断される（図２のステップＳ１０２）。ここで、当該原始的映像信号がＨＤ規格に基づくデータ放送のものと判断されるときには、画像出力装置１１は、まず、表示装置１２に当該原始的映像信号をそのまま出力する（図２のステップＳ１０７）。そして、これを受けた表示装置１２は、スケーラ１２２において当該原始的映像信号をスケーリング（図２のステップＳ１０９）して、画像表示を行う（図２のステップＳ１１０）。なお、図５においては、前記ステップＳ１０７の処理が、図中最左方から真中への移行として、前記ステップＳ１０９の処理が、図中真中から最右方への移行として、それぞれ示されている。
【００８１】
この点、従来においては、原始的映像信号がＨＤ規格に基づくデータ放送のものである場合には、図６に示すように、まず、解像度９６０×５４０の映像信号を解像度１９２０×１０８０の映像信号につきいわゆる「２度振り」した後（同図中最左方から真中への移行）、これを更に、解像度１２８０×７６８の映像信号にスケーリングする（同図中真中から最右方への移行）、というように、２回の画像処理が行われていた。ちなみに、前段の２度振りによると、それにより得られる映像信号は１９２０×１０８０となり、ＨＤ規格の映像信号と同じになるから、後段のスケーリングでは、ＨＤ規格に基づく映像信号のスケーリングと同じ作業を実施すればよい。
【００８２】
しかしながら、このような場合においては、文字等のフォントはいったん拡大された後縮小されるということになり、フォントの形が崩れてしまって見栄えが悪くなり、悪い場合にはその判読が困難になる場合もありえた。要するに、前記のような２回の画像処理によると、グラフィック画像表示の画質を著しく劣化させてしまうおそれがあるのである。
【００８３】
しかるに、第１実施例においては、原始的映像信号がＨＤ規格に基づくデータ放送のものである場合、１回の画像処理を行うのみのとなっているため（図２のステップＳ１０７及びステップＳ１０９並びに図５参照）、前記のような不具合を被らなくて済むのである。
【００８４】
さて次に、前記ステップＳ１０２において、原始的映像信号が、データ放送でないと判断されるとき（加えて、この場合は全画面ＧＵＩを表示しないと判断されるときにもあたる。ステップＳ１０１参照）には、画像出力装置１１は、当該原始的映像信号を解像度１２８０×７６８の映像信号にスケーリングする（図２のステップＳ１０３）。次に、当該原始的映像信号と併せて表示すべきＧＵＩを別個に作成した後（図２のステップＳ１０４）、このＧＵＩと原始的映像信号とを合成する（図２のステップＳ１０６）。そして、この合成された映像信号を、表示装置１２に送信した後（図２のステップＳ１０８）、これを受けた表示装置１２では、当該合成された映像信号に基づいて画像表示を行う（図２のステップＳ１１０）。
より具体的には、この場合、前記原始的映像信号の解像度が１９２０×１０８０である場合（即ち、ＨＤ規格の「１０８０ｉ」の映像信号である場合）、あるいは該解像度が７２０×４８０である場合（即ち、ＳＤ規格の「４８０ｉ」の映像信号である場合）が考えられる。図７及び図８では、それぞれ、原始的映像信号の解像度が１９２０×１０８０の場合及び７２０×４８０の場合におけるＧＵＩの作成及び前記合成された映像信号に基づく画像表示の様子が概念的に示されている。
【００８５】
この点、従来においては、原始的映像信号がＨＤ規格に基づく場合、図９に示すように、ＧＵＩを含んだ上で映像信号のスケーリングが行われていた。したがって、ＧＵＩとして表示される文字等は結果的に縮小されることになり、フォントが潰れてしまって（空くべき隙間が埋められてしまって）見栄えが悪くなるし、悪い場合にはその判読が困難になる場合もありえた。しかるに、第１実施例においては、前記のように、ＧＵＩを作成した後、これをスケーリング済みの原始的映像信号に合成して表示するという手段を採っていることにより、前記のような不具合を被らなくて済むのである。また、原始的映像信号がＳＤ規格に基づく場合にも、図１０に示すように、ＧＵＩを含んだ上で映像信号のスケーリングが行われていた。したがって、ＧＵＩとして表示される文字等は結果的に拡大されることになり、フォントの粗が見えやすくなって（ギザギザが見えてしまって）見栄えが悪くなるし、悪い場合にはその判読が困難になる場合もありえた。しかるに、第１実施例においては、前記のように、ＧＵＩを作成した後、これをスケーリング済みの原始的映像信号に合成して表示するという手段を採っていることにより、前記のような不具合を被らなくて済むのである。
【００８６】
以上述べたように、前記の構成及び作用を有する第１実施例によれば、ＧＵＩ表示を品質高く行うことができる。
【００８７】
（第２実施例  ―  キー信号を利用する実施例）
次に、図１１乃至図１３を参照して、本発明の表示部に係る第２実施例について説明する。ここに図１１は、第２実施例の画像表示装置の構成例を示すブロック図である。また、図１２は、画像表示装置によるＧＵＩの表示処理の流れを示すフローチャートであり、図１３は、図１２の表示処理中の一処理を概念的に示す説明図である。なお、以下においては、第２実施例の画像表示装置につき、前述した第１実施例と同様な構成となる部分ないし重複する部分等についての説明は、省略ないしは簡略化することとし、第２実施例において特長的な部分について、主に説明を加えることとする。また、以下で参照する図面においては、第１実施例の画像表示装置を構成する要素と実質的に同一の要素を指示する場合には、既に使用した符号と同じ符号を用いることとする。
【００８８】
図１１において、画像表示装置２では、前記の第１実施例の画像表示装置１とは異なり、画像出力装置２１にキー信号発生部２１１が設けられており、表示装置２２にＧＵＩ用画像処理部２２２及び選択手段としてのスイッチＳＷが設けられている。このうちキー信号発生部２１１は、画像出力装置１１の画像処理部１１２において作成されたＧＵＩを、原始的映像信号のどの位置に合成するかを識別するためのキー信号を発生する。第２実施例では、このキー信号の存在により、表示装置２２において、当該原始的映像信号のどの部分にＧＵＩを合成すべきかを判断することができる。他方、ＧＵＩ用画像処理部２２２は、前記キー信号の有無に基づいて、前記画像処理部１１２において作成されたＧＵＩに対して、原始的映像信号とは異なる特別な処理を実施する。ここで「特別な処理」の具体例は後に述べることとする。第２実施例に係る画像表示装置２では、前記ＧＵＩ用画像処理部２２２と、原始的映像信号に対して通常のスケーリング処理を行うスケーラ１２２とから送り出される映像信号に基づいて、画像表示が行われることになる。そして、これらＧＵＩ用画像処理部２２２及びスケーラ１２２から出力される信号のうち、最終的な映像を構成するための信号は、前記キー信号発生部２１１から発せられるキー信号に応じて動作するスイッチＳＷの動作により選択されるようになっている。
【００８９】
かかる構成となる画像表示装置２によれば、図１２及び図１３に示すような運用がなされ、その結果、以下に記すような作用効果が得られる。図１２において、まず、画像出力装置２１は、原始的映像信号を受け取った後、ＧＵＩを作成するとともに（図１２のステップＳ２０１）、このＧＵＩと原始的映像信号とを合成する（図１２のステップＳ２０２）。このＧＵＩの作成ないし合成の際には、キー信号発生部２１１でキー信号が生成される（図１２のステップＳ２０３）。このキー信号とは、前記のように作成されたＧＵＩを原始的映像信号のどの位置に合成すべきかを識別するための信号である。図１１でいえば、画像処理部１１２が、ＧＵＩの作成を行った旨キー信号発生部２１１に送信し、キー信号発生部２１１は、これを受けてキー信号の発生タイミングを知る。キー信号が実際に発生されるのは、この発生タイミング如何による。以上までを経て、画像出力装置２１は、映像信号（作成されたＧＵＩに関する映像信号も当然含む。）、及び、前記発生タイミングに合致する場合にはキー信号を、表示装置２２に送信する（図１２のステップＳ２０４）。
【００９０】
次に、表示装置２２では、送られてきた映像信号はスケーラ１２２及びＧＵＩ用画像処理部２２２の双方に送られる。このうち、スケーラ１２２に送られた映像信号は、通常のスケーリング処理、即ち例えば、該映像信号が解像度１９２０×１０８０のＨＤ規格に基づくときには、これを解像度１２８０×７６８とするような実質的な縮小処理となるスケーリング処理を受けることになる（図１２のステップＳ２１２。なお図７参照）。一方、ＧＵＩ用画像処理部２２２に送られた映像信号は、前記の通常のスケーリング処理ではなく、特別な処理が実施される（図１２のステップＳ２１１）。ここで「特別な処理」における「特別」とは、具体的には、前記スケーラ１２２におけるスケーリング処理との対比において特別という意味合いを含む。その具体的態様については、後に詳細に述べる。
【００９１】
次に、表示装置２２では、前記キー信号の有無を検出する（図１２のステップＳ２０５）。このキー信号は、前記のようにキー信号発生部２１１がＧＵＩを原始的映像信号のどの位置に合成すべきかという意味における発生タイミングを既に知らされているので、この発生タイミングに則して発生させられることになる。表示装置２２では、このようにして結果的に間欠的に発生されることになるキー信号（図１２のステップＳ２０４参照）の有無に応じて、前記の映像信号の中から、ＧＵＩの部分と原始的映像信号をそのまま表示すべき部分とを区分けする。そして、キー信号が検出されたときは、図１１におけるスイッチＳＷを同図中下方向の端子に接触するように操作して、ＧＵＩ用画像処理部２２２で画像処理を受けた画像（即ち、ＧＵＩ画像）を出力し（図１２のステップＳ２２６）、そうでないときは、図１１におけるスイッチＳＷを図中上方向の端子に接触するように操作して、スケーラ１２２で画像処理（即ち、スケーリング処理）を受けた画像を出力する（図１２のステップＳ２１６）。そして、最終的には、これらの合成画像の表示が行われる（図１２のステップＳ２０７）。
【００９２】
さて、このような合成画像の表示によると、ＧＵＩ表示を品質高く行うことができる。これは、ＧＵＩ用画像処理部２２２において、スケーラ１２２との対比において「特別な処理」が好適に実施されることによっている。ここで、この「特別な処理」とは、例えば次のような処理例を挙げることができる。
【００９３】
まず、「特別な処理」の具体例の第１としては、原始的映像信号については、「不完全」なインターレース−プログレッシブ変換（以下、「ｉｐ変換」という。）を行った後にスケーリング処理を実施するが、ＧＵＩについては、「完全」なｉｐ変換を行った後にスケーリング処理を実施するという処理を考えることができる。この場合、まず、前記で「不完全」、あるいは「完全」なｉｐ変換とは、次のような意義を有する。すなわち、「不完全」なｉｐ変換とは、具体的には例えば、処理速度が比較的速い、ないしは原始的映像信号から原データの失われる度合いが比較的大きいｉｐ変換ということを意味する。このようなｉｐ変換が可能となるのは、原始的映像信号が、通常は動画像を含むことから、すべての走査線について、完全完璧なｉｐ変換をすることが原理的に不可能だからである。なお、このようなことから当然ながら、「不完全」なｉｐ変換ということが、画質を殊更劣化させる画像へのｉｐ変換ということを意味するわけではない。次に、「完全」なｉｐ変換とは、前記とは逆に、処理速度が比較的遅い、ないしは原始的映像信号から原データの失われる度合いが比較的小さいｉｐ変換ということを意味する。このようなｉｐ変換が行われるのは、ＧＵＩ表示が、通常は動きを含まない静止画像であることから、すべての走査線について、完全完璧なｉｐ変換（但し、ここでいう「完全完璧」とは、前記の「不完全」との対比において相対的な意味を有するに過ぎない。）をすることが可能だからである（あるいは、いったん変換処理してしまえば、その後の変換処理は必要ないからである。）。
【００９４】
このように、不完全及び完全ということは、映像信号に動画が含まれるか否かに基づいて定めることのできるｉｐ変換の精度の相違という意味合いを含み得る。そして、完全なｉｐ変換が行われるのであれば、元の映像信号に含まれていた原データがそのまま保存される可能性が高く、より高精細な画像を表示することができることになる。
【００９５】
したがって、前記のような差を設けることによると、不完全なｉｐ変換を受けるよりも、完全なｉｐ変換を受けたＧＵＩ表示は、より緻密、より高精細になりうることになる。そして、この場合、ｉｐ変換後の信号に同じスケーリング処理を実施するとしても、当該ＧＵＩ表示はその緻密さ、高精細さを維持することになる。なお、図１３には、このような処理の概念図を示した。図１３左方上では、解像度１９２０×１０８０の原始的映像信号及びＧＵＩに基づく画像表示の様子が、図１３左方下では、同じ解像度におけるＧＵＩ表示がなされるべき部分に対応するキー信号の付与の様子が、それぞれ概念的に示されている。そして、原始的映像信号は、スケーラ１２２を介して解像度１２８０×７６８の画像にスケーリング処理され、ＧＵＩは、ＧＵＩ画像処理部２２２を介して同じく解像度１２８０×７６８の画像にスケーリング処理されることが示されている。
【００９６】
この点、ＧＵＩ表示につき前記の特別な処理を実施しない場合、即ちＧＵＩ表示も原始的映像信号もともに区別なく全く同じ処理（スケーリング処理を含む）を実施してしまう場合には、既に図９及び図１０を参照して説明したように、当該ＧＵＩ表示の品質を劣化させることになることとは相違する。
【００９７】
さて、「特別な処理」の具体例の第２としては、スケーラ１２２及びＧＵＩ用画像処理部２２２に含まれるスケーラとしてのデジタルフィルタ（不図示）の特性を相互に変えておく処理を考えることができる。具体的には、ＧＵＩ用画像処理部２２２のデジタルフィルタに関しては、スケーラ１２２のデジタルフィルタよりも、フィルタのかかり具合を弱めにしておくことが考えられる。これによると、ＧＵＩ表示については折り返しノイズが出る可能性もあるが、原データを極力維持することが可能となるから、当該ＧＵＩ表示は、緻密さ、高精細さを維持することができることになる。
【００９８】
あるいは、「特別な処理」の具体例の第３としては、ＧＵＩ表示を原始的映像信号とともに作成する（図１２のステップＳ２０１）のではなくて、該原始的映像信号とは完全に別個の映像信号として作成する、すなわち例えば、ＧＵＩ表示がなされるべき部位を除く原始的映像信号を作成するとともに、これに独立にスケーリング処理を受けさせ、ＧＵＩ表示については、あたかも既にスケーリング処理を受けたかのようなＧＵＩ表示を完全別個に作成しておくという処理が考えられる。言い換えると、ＧＵＩ表示については、予めスケーリング処理を不要なもの、つまり既に拡大され、あるいは縮小されたものとして作成しておくという方法ということになる。このようにすれば、ＧＵＩ表示はスケーリング処理を受けずに済むから、該ＧＵＩ表示を構成するフォント等を潰したり（縮小の場合）、その粗を目立たせたり（拡大の場合）することはない。
【００９９】
なお、このような処理では、原始的映像信号のうちＧＵＩ表示がなされるべき部位を除く処理を行う必要があるから、仮に、そのＧＵＩ表示が予定される部位に当該ＧＵＩ表示を行わないとすると、黒抜き又は白抜きの表示がなされるようなことになってしまう。これは、原始的映像信号のスケーリング処理の程度と予め作成しておいたＧＵＩとの大きさに不一致が見られる場合にも、当該ＧＵＩ表示すべき部分において、その一部が黒抜き又は白抜きで表示されるということを意味する。したがって、この処理方法では、かかる黒抜き又は白抜き表示が行われないように、原始的映像信号に対するスケーリング処理の程度等を正確に勘案した上で、当該ＧＵＩの作成を正確に行う必要がある。もっとも、この処理は大きな困難を伴うことなく比較的容易に行うことができると考えられる。
【０１００】
いずれにせよ、以上述べたように、前記の構成及び作用を有する第２実施例によれば、ＧＵＩ表示を品質高く行うことができる。
【０１０１】
（第３実施例  ―  スケーリング関数の逆関数を用いる場合）
次に、図１４及び図１５を参照して、本発明の表示部に係る第３実施例について説明する。ここに図１４は、第３実施例の画像表示装置の構成例を示すブロック図であり、図１５は、図１４中、逆関数作用部３１１及びスケーラ１２２においてＧＵＩ等に作用されるべき関数の根拠ないし求め方の具体的な一例を示すものである。さらに、図１６は、画像表示装置３によるＧＵＩの表示処理の流れを示すフローチャートであり、図１７は、図１６の表示処理中の一処理を概念的に示す説明図である。なお、以下においては、第３実施例の画像表示装置につき、前述した第１実施例と同様な構成となる部分ないし重複する部分等についての説明は、省略ないしは簡略化することとし、第３実施例において特長的な部分について、主に説明を加えることとする。また、以下で参照する図面においては、第１実施例の画像表示装置を構成する要素と実質的に同一の要素を指示する場合には、既に使用した符号と同じ符号を用いることとする。
【０１０２】
図１４において、画像表示装置３では、前記の第１実施例の画像表示装置１とは異なり、画像出力装置３１に逆関数作用部３１１が設けられている。この逆関数作用部３１１は、画像出力装置３１の画像処理部１１２において作成されたＧＵＩに、スケーラ１２２におけるスケーリング関数の逆関数を作用させる。このことから、第３実施例に係る画像表示装置３では、前記逆関数が作用させられたＧＵＩと原始的映像信号とがともに、表示装置１２に送られ、且つ、該表示装置１２のスケーラ１２２によってスケーリング処理されることになる。したがって、ＧＵＩ表示については、いったん逆関数の作用を受けて、スケーリング関数の作用を受けることにより、表示装置１２の解像度に合致した画像表示が行われることになる。
【０１０３】
ここで、前記の逆関数、ないしはスケーリング関数とは、例えば以下のように定められる。
【０１０４】
まず、図１５（ａ）に示すように、画像１を画像２のようにスケーリング処理（この場合、縮小処理）する場合を考える。このとき、画像１及び画像２における任意の座標（ｘ，ｙ）における明度をｆ１（ｘ，ｙ）及びｆ２（ｘ，ｙ）とし、図に示すようなｓ１及びｓ２をスケーリング係数とする。また、画像１における座標（ｓ１ｘ，ｓ１ｙ）と、画像２における座標（ｘ，ｙ）とが、相互に写像関係にあるものとする。
【０１０５】
さて、このような場合において、第１に、点（ｓ１ｘ，ｓ１ｙ）の近傍４点（ｉ，ｊ）、（ｉ＋１，ｊ）、（ｉ，ｊ＋１）及び（ｉ＋１，ｊ＋１）において、以下の式（１）及び（２）を満たす（ｉ，ｊ）（ただし、ｉ及びｊはともに整数。）を設定する（図１５（ｂ）参照）。
【０１０６】
ｉ≦ｓ１ｘ≦ｉ＋１  …  （１）
ｊ≦ｓ２ｙ≦ｊ＋１  …  （２）
このように設定された近傍４点のうち点（ｉ，ｊ）及び（ｉ＋１，ｊ）の明度と以下の式（３）を用いて点（ｓ１ｘ，ｊ）の明度を線形補間により計算し、残る点（ｉ，ｊ＋１）及び（ｉ＋１，ｊ＋１）の明度と以下の式（４）を用いて点（ｓ１ｘ，ｊ＋１）の明度を線形補間により計算する（図１５（ｃ）の符号▲１▼参照。なお、図における符号▲１▼の付された矢印は、式（３）及び式（４）による線形補間が行われるイメージを概念的に表している。）。
【０１０７】
2005057324.tif 000003
次に、これらｆ１（ｓ１ｘ，ｊ）とｆ１（ｓ１ｘ，ｊ＋１）を用いた以下の式（５）による線形補間により、（ｓ１ｘ，ｓ２ｙ）の明度を計算する（図１５（ｃ）の符号▲２▼参照。なお、図における符号▲２▼の付された矢印は、式（５）による線形補間が行われるイメージを概念的に表している。）。
【０１０８】
2005057324.tif 000004
このようにして、画像１において算出されたｆ１（ｓ１ｘ，ｓ２ｙ）を、画像２のｆ２（ｘ，ｙ）の値とする（図１５（ｂ）参照）。以上の作業を画像２のすべての画素について行う。
【０１０９】
以上のようなスケーリング処理の場合における「スケーリング関数」とは、前記の式（３）から式（５）として示されているものが該当すると考えることができる。そして、この場合、前記とは逆の投影を行う場合には、これらのスケーリング関数におけるスケーリング係数ｓ１及びｓ２の逆数を係数として含む関数を考えればよいことがわかる。すなわち、このスケーリング関数の逆関数とは、
2005057324.tif 000005
として表されることがわかる。
【０１１０】
第３実施例における逆関数作用部３１１では、これらの逆関数（３´）乃至（５´）が、作成されたＧＵＩにいったん作用し、スケーラ１２２では、今度は、スケーリング関数（３）乃至（５）の作用を受けるということになる。なお、前記のスケーリング関数及びその逆関数は、単なる一例に過ぎず、上記以外にも種々考え得ることは言うまでもない。
【０１１１】
かかる構成となる画像表示装置３によれば、図１６及び図１７に示すような運用がなされ、その結果、以下に記すような作用効果が得られる。図１６において、まず、画像出力装置３１は、原始的映像信号を受け取った後、ＧＵＩを作成する（図１６のステップＳ３０１）。このＧＵＩの作成においては、いったん原始的映像信号の解像度に合致したＧＵＩを作成した後に、該ＧＵＩに対して逆関数作用部３１１がスケーリング関数の逆関数を作用させる（図１６のステップＳ３１１）。次に、このように逆関数が作用させられたＧＵＩと原始的映像信号とを合成し（図１６のステップＳ３０２）、この合成された映像信号を、表示装置１２に送信する（図１６のステップＳ３０３）。表示装置１２では、スケーラ１２２が当該映像信号に対してスケーリング処理を実施し（図１６のステップＳ３０４）、その後に画像表示が行われる（図１６のステップＳ３０５）。なお、図１７においては、前記ステップＳ３１１の処理が、図中左方上から左方下への移行として、前記ステップＳ３０４の処理が、図中左方下から右方下への移行として、それぞれ示されている。
【０１１２】
この場合、ＧＵＩは、ステップＳ３０３においてスケーリング処理を受けるものの、それ以前に逆関数の作用を受けているため、図９及び図１０で示したように、単純に拡大されたり、縮小されたりということがない。つまり、第３実施例におけるＧＵＩは、定性的に言えば、いったん拡大処理を受けて縮小処理を受ける、あるいはいったん縮小処理を受けて拡大処理を受ける、などということになるから、該ＧＵＩを構成するフォント等が潰れたり（縮小の場合）、その粗を目立たせたり（拡大の場合）することがないのである。
【０１１３】
以上述べたように、前記の構成及び作用を有する第３実施例によれば、ＧＵＩ表示を品質高く行うことができる。
【０１１４】
本発明は、上述した実施形態及び実施例に限られるものではなく、請求の範囲及び明細書全体から読み取れる発明の要旨、あるいは思想に反しない範囲で適宜変更可能であり、そのような変更を伴う画像表示装置もまた、本発明の技術的範囲に含まれるものである。
【図面の簡単な説明】
【図１】第１実施例の画像表示装置の構成例を示すブロック図である。
【図２】図１に示す画像表示装置によるＧＵＩの表示処理の流れを示すフローチャートである。
【図３】図１に示す表示処理中の一処理を概念的に示す説明図であって、全画面ＧＵＩ表示を行う場合（且つ、原始的映像信号の解像度が１９２０×１０８０である場合）の処理を示すものである。
【図４】図１に示す表示処理中の一処理を概念的に示す説明図であって、全画面ＧＵＩ表示を行う場合（且つ、原始的映像信号の解像度が１２８０×７２０である場合）の処理を示すものである。
【図５】図１に示す表示処理中の一処理を概念的に示す説明図であって、データ放送の場合の処理を示すものである。
【図６】図５に対する比較例である。
【図７】図１に示す表示処理中の一処理を概念的に示す説明図であって、部分的にＧＵＩ表示を行う場合（且つ、原始的映像信号の解像度が１９２０×１０８０である場合）の処理を示すものである。
【図８】図１に示す表示処理中の一処理を概念的に示す説明図であって、部分的にＧＵＩ表示を行う場合（且つ、原始的映像信号の解像度が７２０×４８０である場合）の処理を示すものである。
【図９】図７に対する比較例である。
【図１０】図８に対する比較例である。
【図１１】第２実施例の画像表示装置の構成例を示すブロック図である。
【図１２】画像表示装置によるＧＵＩの表示処理の流れを示すフローチャートである。
【図１３】図１２の表示処理中の一処理を概念的に示す説明図である。
【図１４】第３実施例の画像表示装置の構成例を示すブロック図である。
【図１５】図１４に示す逆関数作用部及びスケーラにおいてＧＵＩ等に作用されるべき逆関数及びスケーリング関数の根拠ないし求め方の具体的な一例を示すものである。
【図１６】画像表示装置によるＧＵＩの表示処理の流れを示すフローチャートである。
【図１７】図１６の表示処理中の一処理を概念的に示す説明図である。
【符号の説明】
１、２及び３…画像表示装置
１１、２１及び３１…画像出力装置
１１１…デコーダ
１１２…画像処理部
１１３…コントローラ
２１１…キー信号発生部
１２、２２…表示装置
１２１…メモリ
１２２…スケーラ
２２２…ＧＵＩ用画像処理部
３１１…逆関数作用部
【図１】
2005057324.tif 000006
【図２】
2005057324.tif 000007
【図３】
2005057324.tif 000008
【図４】
2005057324.tif 000009
【図５】
2005057324.tif 000010
【図６】
2005057324.tif 000011
【図７】
2005057324.tif 000012
【図８】
2005057324.tif 000013
【図９】
2005057324.tif 000014
【図１０】
2005057324.tif 000015
【図１１】
2005057324.tif 000016
【図１２】
2005057324.tif 000017
【図１３】
2005057324.tif 000018
【図１４】
2005057324.tif 000019
【図１５】
2005057324.tif 000020
【図１６】
2005057324.tif 000021
【図１７】
2005057324.tif 000022